(57)【要約】【課題】  衣服や身体などが引っかかり難く、外観的にも優れた敷物とその製造方法を提供する。【解決手段】  本考案の敷物Ｘは、矢印ＡＢ方向に突出する耳片１００，１１０を有する敷物要素１を矢印ＣＤ方向に複数配列することにより構成される敷物要素列Ｌ１，Ｌ２を複数備えている。これらの複数の敷物要素列Ｌ１，Ｌ２は、互いに矢印ＡＢ方向に隣接するように配列され、かつ、敷物要素列Ｌ１を構成する十字型要素１０の耳片１００が敷物要素列Ｌ２を構成する十字型要素１０およびＴ字型要素１１の耳片１００，１１０間にはめ込まれるとともに、矢印ＣＤ方向に隣接する各耳片１００，１１０にロッド状連結部材２を連挿通することによって連結されているものにおいて、敷物要素列Ｌ２における矢印ＣＤ方向の両端に位置するＴ字型要素１１は、当該Ｔ字型要素１１の耳片１１０に有底孔１１１を有しており、ロッド状連結部材２の端部は、有底孔１１１に挿入されて固定されている。【選択図】  図１
0003102446.tif 000002
【実用新案登録請求の範囲】
【請求項１】
長手方向に突出する耳片を有する敷物要素を幅方向に複数配列することにより構成される敷物要素列を複数備え、上記複数の敷物要素列は、互いに長手方向に隣接するように配列され、かつ、当該敷物要素列の隣接するものどうしは、一方の列を構成する各敷物要素の耳片が他方の列を構成する各敷物要素の耳片間にはめ込まれるとともに、幅方向に隣接する各耳片にロッド状連結部材を連挿通することによって連結されている敷物であって、
上記他方の列における上記幅方向の両端に位置する敷物要素は、当該敷物要素の耳片に有底孔を有しており、上記ロッド状連結部材の端部は、上記有底孔に挿入されて固定されていることを特徴とする、敷物。
【請求項２】
上記ロッド状連結部材の端部は、接着剤によって上記有底孔に挿入された状態で固定されている、請求項１に記載の敷物。
【請求項３】
上記一方の列を構成する敷物要素と上記他方の列における上記幅方向の中間に位置する敷物要素とは、当該各敷物要素の耳片に貫通孔を有しており、上記ロッド状連結部材の中間部は、上記貫通孔に対して回転可能に通挿されている、請求項２に記載の敷物。
【請求項４】
上記敷物要素は、樹脂発泡体である、請求項３に記載の敷物。
【請求項５】
上記敷物要素は、当該敷物要素の上面から下面に向かって延びる貫通溝を有している、請求項４に記載の敷物。
【請求項６】
上記敷物要素の下面には、複数の凸部が設けられている、請求項５に記載の敷物。
【請求項７】
上記一方の列の幅方向における端面と、上記他方の列の幅方向における端面とは、面一である、請求項６に記載の敷物。
【考案の詳細な説明】
【技術分野】
【０００１】
本考案は、敷物に関し、特に、巻き取り可能な敷物に関する。
【背景技術】
【０００２】
ベランダやプールサイドなどで使用される敷物の一例としては、図８に示したようなものがある。図８に示した敷物Ｘ’は、長手方向（矢印ＡＢ方向）に突出する耳片１００を有する十字型要素１０および矢印ＡＢ方向に突出する耳片１１０を有するＴ字型要素１１’を有する敷物要素１’を幅方向（矢印ＣＤ方向）に複数配列することにより構成される敷物要素列Ｌ１，Ｌ２を矢印ＡＢ方向に隣接するように交互に複数配列したものである。隣接する敷物要素列Ｌ１，Ｌ２は、敷物要素列Ｌ１を構成する十字型要素１０の耳片１００が敷物要素列Ｌ２を構成する十字型要素１０およびＴ字型要素１１の耳片１００，１１０の間にはめ込まれるとともに、矢印ＣＤ方向に隣接する各耳片１００，１１０に連結ロッド２’を連挿通することによって連結されている。連結ロッド２’の両端部には、連結ロッド２’により連結された各敷物要素１が当該連結ロッド２’から脱落するのを防ぐために、フランジ状の金属部材（図示せず）が取り付けられているのに加え、当該両端部を熱で溶かすことによりネイルヘッド部２ｂが形成されている。
【０００３】
しかしながら、このような構成を有する敷物Ｘ’においては、連結ロッド２’に形成されたネイルヘッド部２ｂおよび金属部材が敷物要素列Ｌ２における矢印ＣＤ方向の端部に位置するＴ字型要素１１の側面に突出した状態となっている。そのため、ネイルヘッド部２ｂおよび金属部材は、衣服や身体などを引っかけ易い状態であり、当該衣服や身体などにダメージを与えてしまう可能性があった。また、ネイルヘッド部２ｂおよび金属部材が突出しているのに加えて、ネイルヘッド部２ｂの形成は、一般的に電気コテを用いて連結ロッド２’の両端部を熱で溶かすことによって行われるため、ネイルヘッド部２ｂの形状は比較的いびつな形状になり易い。したがって、敷物Ｘ’の外観の点からも未だ改善の余地があった。
【０００４】
ベランダやプールサイドなどで使用され、複数の敷物要素を連結することによって構成される敷物としては、他にも例えば隣り合った２辺のそれぞれに、厚さ方向に貫通した嵌合孔を有する筒体が設けられ、他の２辺に上記筒体の嵌合孔に挿入可能な棒状体が設けられた方形の敷物要素が複数配列され、敷物要素の嵌合孔に、この敷物要素に隣接する敷物要素の棒状体を挿入することにより連結されたものがある（例えば、特許文献１参照。）。
【０００５】
しかしながら、特許文献１に開示されている敷物においても、筒体や棒状体が厚さ方向に略垂直な方向に突出した状態となっている。そのため、敷物Ｘ’について上述したものと同様の問題を抱えている。
【特許文献１】特開平８−３３３８７５号公報
【考案の開示】
【考案が解決しようとする課題】
【０００６】
本考案は、このような事情のもとで考え出されたものであって、衣服や身体などが引っかかり難く、外観的にも優れた敷物を提供することを課題とする。
【課題を解決するための手段】
【０００７】
本考案により提供される敷物は、長手方向に突出する耳片を有する敷物要素を幅方向に複数配列することにより構成される敷物要素列を複数備え、複数の敷物要素列は、互いに長手方向に隣接するように配列され、かつ、当該敷物要素列の隣接するものどうしは、一方の列を構成する各敷物要素の耳片が他方の列を構成する各敷物要素の耳片間にはめ込まれるとともに、幅方向に隣接する各耳片にロッド状連結部材を連挿通することによって連結されている敷物であって、他方の列における幅方向の両端に位置する敷物要素は、当該敷物要素の耳片に有底孔を有しており、ロッド状連結部材の端部は、有底孔に挿入されて固定されていることを特徴としている。
【０００８】
このような構成によると、ロッド状連結部材の端部は、他方の列における幅方向の両端に位置する敷物要素の有底孔に挿入されて固定されているため、当該敷物要素の側面から突出することはない。したがって、従来のようにロッド状連結部材などが敷物要素の側面から突出していることに起因する衣服や身体などへの引っかかりの発生を防止することが可能となる。また、本考案の構成によると、従来のようにロッド状連結部材の両端を熱で溶かしてネイルヘッド部を形成する必要がないため、外観的にも従来のものより優れている。
【０００９】
好ましくは、ロッド状連結部材の端部は、接着剤によって有底孔に挿入された状態で固定されている。このような構成によると、ロッド状連結部材の端部が固定されている敷物要素が当該ロッド状連結部材から脱落し難くなるため、ロッド状連結部材による敷物要素の連結状態をより安定的に維持することが可能となる。
【００１０】
好ましくは、一方の列を構成する敷物要素と他方の列における幅方向の中間に位置する敷物要素とは、当該各敷物要素の耳片に貫通孔を有しており、ロッド状連結部材の中間部は、貫通孔に対して回転可能に通挿されている。このような構成によると、貫通孔を有する耳片とロッド状連結部材とは、ヒンジ機構を構成することになる。したがって、本考案の敷物は、ロッド状連結部材による敷物要素の連結状態を維持したまま、巻き取ることが可能となるため、連結状態を解除することなく、コンパクト化して収納保管することが可能となる。
【００１１】
好ましくは、敷物要素は、エチレン−酢酸ビニル共重合樹脂からなり、ロッド状連結部材は、ポリエチレンからなり、かつ、接着剤は、敷物要素とロッド状連結部材とを好適に接合できるものが選択される。エチレン−酢酸ビニル共重合樹脂は、耐候性、耐オゾン性に優れているので、ベランダやプールサイドといった屋外での使用に適している。また、エチレン−酢酸ビニル共重合樹脂の比重は、塩化ビニルやゴムの比重に比べて小さいため、エチレン−酢酸ビニル共重合樹脂により構成される敷物要素は、比較的軽量で、取り扱い性に優れている。ポリエチレンは、強度的に優れているのに加えて、比較的軽量であるので、連結部材として適している。
【００１２】
本考案の好ましい実施の形態としては、敷物要素は、樹脂発泡体である。このような構成によると、かさ密度をより小さくすることができるため、敷物要素ひいては敷物自体をより軽量化することができ、取り扱い性をより向上させることができる。また、発泡体は、衝撃エネルギーの吸収性に優れているため、敷物要素のクッション性も高めることができる。
【００１３】
好ましくは、敷物要素は、当該敷物要素の上面から下面に向かって延びる貫通溝を有している。このような構成によると、貫通溝を介して敷物要素の上面にある水分を当該敷物要素の下面に効率的に移動させることが可能となるため、敷物の排水性を高めることが可能となる。
【００１４】
好ましくは、敷物要素の下面には、複数の凸部が設けられている。このような構成によると、敷物が設置される面と敷物要素の下面との間に空間部が形成される。そのため、例えばコンクリートなどの水はけが悪い場所に敷物を設置する場合においても、コンクリート面と敷物要素の下面との間に形成される空間部を介して当該下面に移動した水分を排水することが可能となる。したがって、本考案の敷物は、水はけが比較的悪い場所に設置する場合においても、優れた排水性を得ることが可能となる。
【００１５】
好ましくは、一方の列の幅方向における端面と、他方の列の幅方向における端面とは、面一である。このような構成によると、敷物全体における幅方向の端面の凹凸が軽減されるため、幅方向の端部に位置する敷物要素自体に衣服などを引っかけてしまう可能性も低減される。
【００１６】
本考案のその他の利点および特徴については、以下に行う考案の実施形態の説明から、より明らかとなるであろう。
【考案を実施するための最良の形態】
【００１７】
本考案の好ましい実施形態にかかる敷物Ｘについて、図１〜図４を参照しつつ具体的に説明する。図１は、本実施形態にかかる敷物Ｘの斜視図である。図２は、図１に示す敷物Ｘの平面図である。
【００１８】
敷物Ｘは、図１に示すように、敷物要素１と、敷物要素１を連結するための連結ロッド２とを備えている。
【００１９】
敷物要素１は、図２に示すように、平面視形状が十字状の十字型要素１０と、平面視形状がＴ字状のＴ字型要素１１とを有している。ここで、図３は、図１に示す敷物Ｘを構成する十字型要素１０を示す図であり、（ａ）はその斜視図、（ｂ）は（ａ）のIIIｂ−IIIｂ線に沿った断面図である。また、図４は、図１に示す敷物Ｘを構成するＴ字型要素１１を示す図であり、（ａ）はその斜視図、（ｂ）は（ａ）の線IVｂ−IVｂ線に沿った断面図である。
【００２０】
十字型要素１０は、図１および図３（ａ）に示すように、敷物Ｘの長手方向（矢印ＡＢ方向）に突出する一対の耳片１００を有しており、かつ、一対の耳片１００に後述する連結ロッド２が挿通可能な貫通孔１０１を有している。Ｔ字型要素１１は、図１および図４（ａ）に示すように、敷物Ｘの長手方向（矢印ＡＢ方向）に突出する一対の耳片１１０を有しており、かつ、一対の耳片１１０に後述する連結ロッド２の端部が挿入可能な有底孔１１１を有している。敷物要素１を構成する素材としては、エチレン−酢酸ビニル共重合樹脂などが挙げられるが、中でもエチレン−酢酸ビニル共重合樹脂からなる樹脂発泡体が特に好ましい。エチレン−酢酸ビニル共重合樹脂は、耐候性、耐オゾン性に優れているので、ベランダやプールサイドといった屋外での使用に適しているのに加えて、その比重が塩化ビニルやゴムの比重より小さいので、エチレン−酢酸ビニル共重合樹脂からなるもの（本実施形態においては敷物要素１）は、軽量で取り扱い性にも優れている。また、樹脂発泡体にすることによって、かさ密度をより小さくすることができるため、さらなる軽量化および取り扱い性の向上を図ることができるとともに、衝撃エネルギーの吸収性も高めることが可能となる。
【００２１】
敷物要素１である十字型要素１０およびＴ字型要素１１の上面１０ａ，１１ａ（図３および図４参照）には、滑り防止手段としての微小な凹凸（図示せず）が当該上面１０ａ，１１ａの全域にわたって形成されている。本実施形態においては、滑り防止手段として微小な凹凸が形成されているが、これには限定されず、上面１０ａ，１１ａが所望の摩擦係数（例えば、裸足での使用でも足が滑り難い程度の摩擦係数）となればよい。また、本実施形態において微小な凹凸は、上面１０ａ，１１ａの全域に形成されているが、これには限られず、上面１０ａ，１１ａの一部に形成するだけでもよい。
【００２２】
敷物要素１である十字型要素１０およびＴ字型要素１１の下面１０ｂ，１１ｂには、それぞれ複数の凸部１０２，１１２が当該下面１０ｂ，１１ｂの全域にわたってマトリックス状に形成されている。本実施形態において複数の凸部１０２，１１２は、下面１０ｂ，１１ｂの全域にわたってマトリックス状に形成されているが、これには限られず、敷物Ｘを配置する地面（図示せず）と下面１０ｂ，１１ｂとの間に空間を設けることが可能であればよい。この空間は、水分を排水するための流路になるとともに、上面１０ａ，１１ａから下面１０ｂ，１１ｂに向かって作用する衝撃を緩和する役割も果たす。
【００２３】
敷物要素１である十字型要素１０およびＴ字型要素１１には、図３（ｂ）および図４（ｂ）によく表れているように、十字型要素１０およびＴ字型要素１１の上面１０ａ，１１ａから下面１０ｂ，１１ｂに向かって延びる貫通溝１０３，１１３がそれぞれ形成されている。本実施形態において貫通溝１０３，１１３は、平面視形状が矩形状であり、上面１０ａ，１１ａおよび下面１０ｂ，１１ｂに対して垂直方向（矢印ＥＦ方向）に伸びるように形成されているが、これには限られず、上面１０ａ，１１ａにある水分を下方（矢印Ｆ方向）に流下させることが可能な形状であればよい。また、図３（ａ）および図４（ａ）によく表れているように、本実施形態において十字型要素１０は貫通溝１０３を６つ有しており、Ｔ字型要素１は貫通溝１１３を１つ有しているが、貫通溝１０３，１１３の数はこれには限られず、必要に応じて任意に設定すればよい。貫通溝１０３，１１３の形成位置についても同様である。
【００２４】
連結ロッド２は、図１および図２に示すように、十字型要素１０の貫通孔１０１に挿通可能で、かつ、Ｔ字型要素１１の有底孔１１１に挿入可能な棒状部材であり、その長さは敷物Ｘの幅方向（矢印ＣＤ方向）の長さに応じて任意に設定される。連結ロッド２を構成する素材としては、ポリエチレンなどが挙げられる。ポリエチレンは、機械的強度に優れているので、連結ロッド２として敷物要素１の連結状態を安定的に維持するのに適しているのに加え、耐水性、防湿性などにも優れているので、ベランダやプールサイドといった屋外での使用にも適している。また、比重も約０．９１〜０．９６であり比較的軽量であるので、取り扱い性にも優れている。
【００２５】
また、連結ロッド２は、図1に示すように、その中間部に十字型要素１０の貫通孔１０１が連挿通するとともに、その端部をＴ字型要素１１の有底孔１１１に挿入した状態で固定することにより、ヒンジ機構を構成する。このような構成によると、本実施形態に係る敷物Ｘは、連結ロッド２による敷物要素１の連結状態を維持したまま、当該連結ロッド２を軸芯として敷物要素１の十字型要素１０を回動させることにより、巻き取ることが可能となる。したがって、敷物Ｘは、連結状態を解除することなく、コンパクト化して収納保管することが可能となる。
【００２６】
次に、上記した敷物Ｘの製造方法の一例について、図２および図５〜図７を参照しつつ具体的に説明する。図５〜図７は、本実施形態に係る敷物Ｘの製造方法の一連の工程を示す平面図である。
【００２７】
まず、図５（ａ）に示すように、十字型要素１０を矢印ＣＤ方向にｎ個（図面上は３個）配列することにより第１敷物要素列Ｌ１を形成する。また、これと並行して、図５（ｂ）に示すように、十字型要素１０を矢印ＣＤ方向にｎ−１個（図面上は２個）配列し、かつ、Ｔ字型要素１１を矢印ＣＤ方向の端部にそれぞれ１個配列することにより第２敷物要素列Ｌ２を形成する。なお、ｎは２以上の自然数である。
【００２８】
次に、図６に示すように、矢印ＡＢ方向に隣接するようにして、第１敷物要素列Ｌ１と第２敷物要素列Ｌ２とを交互に複数列（図面上は計５列）配し、かつ、第１敷物要素列Ｌ１を構成する十字型要素１０の耳片１００を、第２敷物要素列Ｌ２を構成する十字型要素１０およびＴ字型要素１１の耳片１００，１１０の間にはめ込む。
【００２９】
次に、図７に示すように、第２敷物要素列Ｌ２を構成するＴ字型要素１１の有底孔１１１に接着剤（図示せず）を適量注入する。また、これと並行して、第１敷物要素列Ｌ１を構成する十字型要素１０と第２敷物要素列Ｌ２を構成する十字型要素１０との矢印ＣＤ方向に隣接する各耳片１００に連結ロッド２を連挿通する。ここで、連結ロッド２の端部は、第１敷物要素列Ｌ１の矢印ＣＤ方向の端部に位置する十字型要素１０の耳片１００から突出した状態とする。なお、接着剤としては、エチレン−酢酸ビニル共重合樹脂からなるＴ字型要素１１とポリエチレンからなる連結ロッド２とを接着固定するのに適した組成を有するものが選択される。
【００３０】
次に、有底孔１１１に接着剤が注入されたＴ字型要素１１に対して、各十字型要素１０に連挿通された連結ロッド２の端部を挿入し、固定することにより、図２に示すような敷物Ｘが製造される。
【００３１】
本実施形態に係る敷物Ｘは、連結ロッド２の端部が第２敷物要素列Ｌ２における矢印ＣＤ方向の両端に位置するＴ字型要素１１の有底孔１１１に挿入されて固定されているため、敷物要素１から突出していない。したがって、例えば図８に示す従来の敷物Ｘ’ように連結ロッド２’のネイルヘッド部２ｂなどが敷物要素１’から突出していることに起因する衣服や身体などへの引っかかりの発生は防止することができる。また、敷物Ｘ’のように連結ロッド２’の両端部を熱で溶かしてネイルヘッド部２ｂを形成する必要もないため、外観的にも従来のものより優れている。さらに、接着剤を用いて連結ロッド２の端部をＴ字型要素１１の有底孔１１１に固定したことによって、Ｔ字型要素１１が連結ロッド２から、より脱落し難くなる。したがって、連結ロッド２による敷物要素１の連結状態をより安定的に維持することが可能となる。
【００３２】
以上、本考案の具体的な実施形態について説明したが、本考案はこれに限定されるものではなく、考案の思想から逸脱しない範囲内で種々の変更が可能である。例えば、連結ロッド２の径より小さい径となるように有底孔１１１を形成し、当該有底孔１１１に連結ロッド２の端部を嵌入する。このような構成によると、接着剤を用いなくても、連結ロッド２による敷物要素１の連結状態をある程度安定的に維持することが可能となる。
【図面の簡単な説明】
【００３３】
【図１】本考案に係る敷物の斜視図である。
【図２】図１に示す敷物の平面図である。
【図３】図１に示す敷物を構成する十字型要素を示す図であり、（ａ）はその斜視図、（ｂ）は（ａ）のIIIｂ−IIIｂ線に沿った断面図である。
【図４】図１に示す敷物を構成するＴ字型要素を示す図であり、（ａ）はその斜視図、（ｂ）は（ａ）のIVｂ−IVｂ線に沿った断面図である。
【図５】図１に示す敷物の製造方法の一の工程を示す平面図である。
【図６】図５の続きの工程を表す平面図である。
【図７】図６の続きの工程を表す平面図である。
【図８】従来の敷物の斜視図である。
【符号の説明】
【００３４】
Ｘ，Ｘ’    敷物
Ｌ１      第１敷物要素列（一方の列）
Ｌ２      第２敷物要素列（他方の列）
１      敷物要素
２      連結ロッド（ロッド状連結部材）
１０      十字型要素
１０ａ    上面
１０ｂ    下面
１１      Ｔ字型要素
１１ａ    上面
１１ｂ    下面
１００      耳片
１０１      貫通孔
１０２      凸部
１０３      貫通溝
１１０      耳片
１１１      有底孔
１１２      凸部
１１３      貫通溝
【図１】
0003102446.tif 000003
【図２】
0003102446.tif 000004
【図３】
0003102446.tif 000005
【図４】
0003102446.tif 000006
【図５】
0003102446.tif 000007
【図６】
0003102446.tif 000008
【図７】
0003102446.tif 000009
【図８】
0003102446.tif 000010